(57)【要約】【課題】ＵＳＢハブ装置は、ディスプレイ１０の裏面側へ取り付けが簡単で、ＵＳＢプラグの着脱作業を容易にする。【解決手段】ハブ装置２０は、ＵＳＢポートを有するハブ本体２２と、ディスプレイ１０の裏面１４に設けられた固定部１８に固定される取付機構３０と、取付機構３０にハブ本体２２を着脱可能に装着される支持機構４０とを備えている。固定部１８は、上記ディスプレイ１０の裏面１４に形成され、上記ディスプレイ１０を支持するための支持具を取り付けるためのＶＥＳＡ規格の取付穴１８ａであり、取付機構３０は、上記ディスプレイ１０の裏面に当接する板状の基板３１と、該基板３１に形成されたネジ穴３０ａと、該ネジ穴３０ａに挿入され上記取付穴１８ａに螺着するためのネジ３３とを備えている。【選択図】図２
0003167149.tif 000002
【実用新案登録請求の範囲】
【請求項１】
ディスプレイの裏面または側面に装着されるハブ装置であって、
複数のプラグを接続するためのポートを有するハブ本体 と、
上記ディスプレイの裏面または側面に設けられた固定部に固定される取付機構と、
上記取付機構に上記ハブ本体を着脱可能に装着する支持機構と、
を備えているハブ装置。
【請求項２】
請求項１に記載のハブ装置において、
上記固定部は、上記ディスプレイの裏面に形成され、上記ディスプレイを支持するための支持具を取り付けるための取付穴であり、
上記取付機構は、上記ディスプレイの裏面に当接する板状の基板と、該基板に形成された少なくとも１つのネジ穴とを備えているハブ装置。
【請求項３】
請求項２に記載のハブ装置において、前記複数のプラグを接続するためのポートはＵＳＢであり、
上記支持具を取り付けるための取付穴はＶＥＳＡ規格であるハブ装置。
【請求項４】
請求項２または請求項３に記載のハブ装置において、
上記取付機構は、上記基板と上記ディスプレイの裏面との間に介在する滑り止め用のシート部材を備えているハブ装置。
【請求項５】
請求項１に記載のハブ装置において、
上記取付機構は、上記ディスプレイの裏面または側面に配置される板状の基板と、該基板と上記ディスプレイの裏面または側面に接着する接着層とを備えているハブ装置。
【請求項６】
請求項１に記載のハブ装置において、
上記取付機構は、セキュリティ用器具を付けるための取付穴に挿入されるロック機構と、該ロック機構を支持する基板とを備えているハブ装置。
【請求項７】
請求項２ないし請求項６のいずれかに記載のハブ装置において、
上記支持機構は、上記基板に形成された支持部と、上記ハブ本体に形成された被支持部とを備え、上記被支持部は、上記支持部に対してスライド可能に支持されるスライド機構であるハブ装置。
【請求項８】
請求項７に記載のハブ装置において、
上記支持部は、上記基板の両側辺に沿って平行に形成されたガイド部であり、上記被支持部は、上記ガイド部にスライド可能にガイド可能に支持される支持片であるハブ装置。
【請求項９】
請求項２ないし請求項６のいずれかに記載のハブ装置において、
上記支持機構は、上記基板と上記ハブ本体とを着脱可能に係合する係合爪と係合穴により構成されているハブ装置。
【請求項１０】
請求項２ないし請求項６のいずれかに記載のハブ装置において、
上記支持機構は、上記基板と上記ハブ本体とを着脱可能に吸着する磁石により構成されているハブ装置。
【考案の詳細な説明】
【技術分野】
【０００１】
本考案は、テレビやコンピュータのモニタなどの表示装置に固定され、ＵＳＢプラグを装着するためのハブ装置に関する。
【背景技術】
【０００２】
ＵＳＢ(Universal Serial Bus )の接続方式は、複雑なインタフェースを統一化し、接続を容易にするものとして、近年、コンピュータの周辺機器だけでなく、ゲーム機やテレビのＡＶ機器などへ多く適用されている。こうしたＵＳＢ接続方式は、接続したい周辺機器の数が増えると、コネクタ数が足りなくなるといった状況が発生するが、このような場合にＵＳＢポートを多数備えたハブ装置が用いられている（特許文献１）。
【０００３】
ところで、テレビなどのディスプレイにおいて、ＵＳＢポートは、裏面側に配置されている場合が多い。しかし、テレビなどの裏面側のスペースは、映像ケーブル、音声ケーブルが多数配置されているために、ハブ装置を配置する箇所を定めることが面倒であり、また、ＵＳＢコネクタの着脱作業も面倒であるという課題があった。
【先行技術文献】
【特許文献】
【０００４】
【特許文献１】特開２００１−３０６１８１
【考案の概要】
【考案が解決しようとする課題】
【０００５】
本考案は、上記従来の技術の問題点を解決することを踏まえ、ディスプレイの裏面または側面に堅固に固定することができるとともに、ＵＳＢプラグの着脱作業を容易にするハブ装置を提供することを目的とする。
【課題を解決するための手段】
【０００６】
本考案は、上述の課題の少なくとも一部を解決するためになされたものであり、以下の形態または適用例として実現することが可能である。
【０００７】
［適用例１］
適用例１は、ディスプレイの裏面または側面に装着されるハブ装置であって、複数のプラグを接続するためのポートを有するハブ本体と、上記ディスプレイの裏面または側面に設けられた固定部に固定される取付機構と、上記取付機構に上記ハブ本体を着脱可能に装着する支持機構と、を備えたことを特徴とする。
【０００８】
適用例１において、ハブ装置は、ディスプレイの裏面の固定部に取付機構を固定し、ハブ本体が支持機構を介して着脱可能に装着される。支持機構は、ハブ本体を取付機構に対して着脱可能とするから、ハブ本体を取付機構に対してスライドさせて外して、ディスプレイの裏面側の狭いスペースから広いスペースに移すことで、ハブ本体からプラグを抜き差しする作業を容易にする。
【０００９】
［他の適用例］
取付機構の構成としては、ディスプレイの裏面または側面に基板を固定する構成であれば種々の構成をとることができる。すなわち、適用例として、固定部が上記ディスプレイの裏面に形成され、上記ディスプレイを支持するための支持具を取り付けるための取付穴であり、上記取付機構は、上記ディスプレイの裏面に当接する板状の基板と、該基板に形成された少なくとも１つのネジ穴とを備えている構成である。
【００１０】
この構成によると、取付機構は、ディスプレイの裏面に設けた取付穴を利用して、ディスプレイの裏面にネジで固定されているから、ハブ装置は、ディスプレイの裏面側で宙づりになることなく、堅固に固定され、しかも別途、固定するための機構が不要であり、構成が簡単になる。また、ハブ装置は、ディスプレイの裏面の所定箇所に固定されるために、ディスプレイの裏面側のスペースを有効に活用するとともに、その定位置を確保することができるから、周辺機器の管理、セッティングも容易である。ここで、上記複数のプラグを接続するためのポートは、ＵＳＢを適用することができ、また、取付穴は、ディスプレイに特有の仕様のほかに、汎用のＶＥＳＡ規格に準拠したものであってもよく、ＶＥＳＡ規格の取付穴を利用した場合には、取付穴の径やネジの種類の選択が容易であり、その構成や取付作業がより簡単になる。なお、取付穴は、少なくとも１つを要するが、異なったネジに対応するように、穴径の異なったものを複数設けてもよい。
【００１１】
また、取付機構は、上記基板と上記ディスプレイの裏面との間に介在する滑り止め用のシート部材を備えている構成をとることができる。また、上記取付機構は、上記ディスプレイの裏面または側面に配置される板状の基板と、該基板と上記ディスプレイの裏面または側面に接着する接着層とを備えている構成をとることができる。また、上記取付機構は、セキュリティ用器具を付けるための取付穴に挿入されるロック機構と、該ロック機構を支持する基板とを備えている構成をとることができる。
【００１２】
上記支持機構の構成として、基板とハブ本体と着脱可能に支持する構成であれば、種々の構成をとることができる。例えば、支持機構は、上記基板に形成された支持部と、上記ハブ本体に形成された被支持部とを備え、上記被支持部は、上記支持部に対してスライド可能に支持されるスライド機構である構成をとることができる。このスライド機構において、上記支持部は、上記基板の両側辺に沿って平行に形成されたガイド部であり、上記被支持部は、上記ガイド部にスライド可能にガイド可能に支持される支持片である構成をとることができる。また、上記支持機構は、上記基板と上記ハブ本体とを着脱可能に係合する係合爪と係合穴とからなる構成や、上記支持機構は、上記基板と上記ハブ本体とを着脱可能に吸着する磁石により構成することができる。
【図面の簡単な説明】
【００１３】
【図１】ディスプレイの裏面にハブ装置を取り付けた状態を示す斜視図である。
【図２】ディスプレイの裏面にハブ装置を取り付ける前の状態を分解して示す斜視図である。
【図３】ハブ装置を分解して示す斜視図である。
【図４】ハブ装置を図３と異なった方向から見た斜視図である。
【図５】ハブ装置をディスプレイの裏面に取り付けた状態を示す断面図である。
【図６】第２実施例にかかるハブ装置を説明する説明図である。
【図７】第３実施例にかかるハブ装置を説明する説明図である。
【図８】第４実施例にかかるハブ装置を説明する説明図である。
【図９】第５実施例にかかるハブ装置を説明する説明図である。
【考案を実施するための形態】
【００１４】
以下、本考案の一実施例にかかるＵＳＢハブ装置について説明する。
Ａ．第１実施例
（１）  概略構成
図１はディスプレイ１０の裏面にハブ装置２０を取り付けた状態を示す斜視図、図２はディスプレイ１０の裏面にハブ装置２０を取り付ける前の状態を分解して示す斜視図である。図１および図２において、ディスプレイ１０は、テレビやコンピュータに用いられる液晶やプラズマなどの薄型のディスプレイであり、ディスプレイ本体１２と、ディスプレイ本体１２の下部で机上などに支持する支持台１６とを備えている。ディスプレイ本体１２の裏面１４には、固定部１８が設けられている。固定部１８は、ディスプレイ本体１２が支持台１６で支持されない場合、つまり、壁などにディスプレイ１０を直接支持具（図示省略）を介して取り付けるための４つの取付穴１８ａにより構成されている。取付穴１８ａは、液晶テレビ、液晶モニタ、テレビなどの標準化を目的としたＶＥＳＡ（Video Electronics Standard Association）によって定められた規格であって、壁などに支持具を用いて取り付けるための規格にしたがって構成されている。ＶＥＳＡ７５の規格では、ネジ穴の数が４個、ネジ穴の間隔が７５ｍｍであり、Ｍ４（直径４ｍｍのミリ規格ネジ）の１０ｍｍの長さのネジを用いる。また、ＶＥＳＡ１００の規格は、ネジ穴の数が４個、ネジ穴の間隔が１００ｍｍ、Ｍ４（直径４ｍｍのミリ規格ネジ）の１０ｍｍの長さのネジを用いる。ディスプレイ１０の裏面１４の固定部１８には、ハブ装置２０が装着されている。ハブ装置２０は、コンピュータなどにＵＳＢ機器を接続するための集線装置である。
【００１５】
（２）  ハブ装置２０の構成
図３および図４はハブ装置２０を分解して示す斜視図、図５はハブ装置２０をディスプレイ１０の裏面１４に取り付けた状態を示す断面図である。ハブ装置２０は、ハブ本体２２と、取付機構３０と、取付機構３０にハブ本体２２を着脱可能に取り付けるための支持機構４０とを備えている。ハブ本体２２は、内部にＵＳＢのインターフェース（図示省略）を収納したハブケース２３を備えており、その側壁にＵＳＢポート２４や電源用プラグ２５が形成されている。ＵＳＢポート２４は、コンピュータ側に接続するためのアップストリームポート２４ａと、周辺機器に接続するためのダウンストリームポート２４ｂとを備え、これらのポートにＵＳＢプラグＰａ，Ｐｂが接続される。取付機構３０は、図２に示すようにディスプレイ１０の裏面１４に設けられた固定部１８に固定される機構であり、ディスプレイ１０の裏面１４に当たる板状の基板３１と、基板３１に形成されたネジ穴３０ａと、ネジ穴３０ａに挿入され取付穴１８ａに螺着するためのネジ３３とを備えている。
【００１６】
支持機構４０は、取付機構３０にハブ本体２２を着脱可能に装着するための機構であり、取付機構３０側の支持部４２と、ハブ本体２２側の被支持部４５とを備えている。図３に示すように支持部４２は、基板３１の長手方向の両側の側辺に沿って形成されたガイド部４２ａを備えている。被支持部４５は、ハブケース２３の一側面に基板３１の図示の縦方向の断面より僅かに大きな断面形状の凹所に形成されており、両側の支持片４５ａを備え、支持片４５ａの間に挿入スペース４５ｂを形成している。したがって、支持機構４０は、ハブ本体２２側の被支持部４５を、基板３１側の支持部４２を位置合わせし、ハブ本体２２を基板３１に対して押し込むことにより、ハブ本体２２が基板３１に対してスライド可能に装着されるスライド機構を構成している。
【００１７】
（３）  ハブ装置２０の着脱および接続作業
図１および図５に示すように、ディスプレイ１０の裏面１４の固定部１８にハブ装置２０を装着するには、図２に示す取付機構３０を固定部１８に固定する。すなわち、取付機構３０の基板３１のネジ穴３０ａを固定部１８の１つの取付穴１８ａに位置合わせして、ネジ３３をネジ穴３０ａおよび取付穴１８ａに通して取付機構３０をディスプレイ１０の裏面１４にネジ止めする。一方、ハブ本体２２の電源用プラグ２５に電源プラグＰＧを接続し、さらにアップストリームポート２４ａにＵＳＢプラグＰａを接続し、ダウンストリームポート２４ｂにＵＳＢプラグＰｂを接続する。そして、ＵＳＢプラグＰａ，Ｐｂなどを装着したハブ本体２２を取付機構３０に固定するには、ハブ本体２２を支持機構４０の被支持部４５を、取付機構３０の支持部４２に位置合わせする。すなわち、被支持部４５の挿入スペース４５ｂを、基板３１側の支持部４２を位置合わせする。そして、ハブ本体２２を基板３１に対して押し込むと、ハブ本体２２は、被支持部４５および支持部４２にガイドされつつスライドし、支持部４２が挿入スペース４５ｂ内に嵌合したときに、取付機構３０への装着が完了し、ディスプレイ本体１２の裏面１４に装着される。
【００１８】
ハブ本体２２からＵＳＢプラグＰａ，Ｐｂを外したり接続したりするには、ハブ本体２２にＵＳＢプラグＰａ，Ｐｂを接続したままで行なう。すなわち、ＵＳＢプラグＰａ，Ｐｂを接続したハブ本体２２を、基板３１に対して支持機構４０を介してスライドさせることにより、基板３１から外す。このようにして外したハブ本体２２は、ディスプレイ１０の裏面１４の狭いスペースから広いスペースに移動でき、ここでハブ本体２２からＵＳＢプラグＰａ，Ｐｂを外すことができる。
【００１９】
（４）  実施例の作用・効果
上記実施例の構成により、以下の効果を奏する。
（４）−１  ハブ装置２０は、ディスプレイ１０の裏面１４の固定部１８に取付機構３０を固定し、ハブ本体２２が支持機構４０を介して着脱可能に装着される。支持機構４０は、ハブ本体２２を取付機構３０に対して着脱可能とするから、ハブ本体２２を取付機構３０に対してスライドさせて外して、ディスプレイ１０の裏面１４側の狭いスペースから広いスペースに移すことで、ハブ本体２２からＵＳＢプラグＰａ，Ｐｂを抜き差しする作業を容易にする。
【００２０】
（４）−２  取付機構３０は、ディスプレイ１０の裏面１４に設けたＶＥＳＡ規格の汎用の取付穴１８ａを利用して、ディスプレイ１０の裏面１４にネジ３３で固定されているから、ハブ装置２０は、ディスプレイ１０の裏面１４側で宙づりになることなく、堅固に固定される。
【００２１】
（４）−３  取付機構３０は、ハブ本体２２を取り付けるために、ディスプレイ１０の裏面１４側に設けたＶＥＳＡ規格の汎用の取付穴１８ａを利用しているから、別途、固定するための機構が不要であり、構成が簡単になる。
【００２２】
（４）−４  ハブ装置２０は、ディスプレイ１０の裏面１４の所定箇所に固定されるために、ディスプレイ１０の裏面１４側のスペースを有効に活用するとともに、その定位置を確保することができるから、ＵＳＢ機器の管理、セッティングも容易である。
【００２３】
Ｂ．第２実施例
図６は第２実施例にかかるハブ装置２０Ｂをディスプレイ１０の裏面１４に取り付けた状態を示す断面図である。本実施例は、取付機構３０Ｂを構成する基板３１Ｂとディスプレイ１０の裏面１４との間に、滑り止め用のシート部材３４Ｂを介在させた構成に特徴を有する。シート部材３４Ｂは、ディスプレイ１０の裏面１４の裏面が滑りやすい壁面に、基板３１ＢがＢ１つのネジ３３Ｂで固定されている場合であっても、ハブ装置２０Ｂが回転し難く、堅固にディスプレイ１０の裏面１４に固定することができる。
【００２４】
Ｃ．第３実施例
図７は第３実施例にかかるハブ装置２０Ｃを説明する説明図であり、図７（Ａ）がハブ本体２２Ｃを取付機構３０Ｃに取り付けた状態を示し、図７（Ｂ）がハブ本体２２Ｃを取付機構３０Ｃに取り付ける前の状態を示す。本実施例は、支持機構４０Ｃを、取付機構３０Ｃとハブ本体２２Ｃとの間に形成された爪による係合機構とした構成に特徴を有する。すなわち、図７（Ｂ）において、基板３１Ｃの一方の面には、支持機構４０Ｃの支持部４２Ｃを構成する係合爪４３Ｃが突設され、また、ハブ本体２２Ｃの被支持部４５Ｃ側には、凹所４６Ｃの底部に形成され係合爪４３Ｃに係合する係合穴４７Ｃが形成されている（図７（Ｃ）参照）。ハブ装置２０の構成により、ハブ本体２２Ｃを基板３１Ｃに固定するには、基板３１Ｃを凹所４６Ｃに位置決めし、さらに図７（Ｃ）に示すようにハブ本体２２Ｃを押し込んで係合爪４３Ｃを係合穴４７Ｃに挿入し、さらにハブ本体２２を僅かにスライドすることにより行なう。これにより、係合爪４３Ｃが係合穴４７Ｃの周辺部に係合することによりハブ本体２２Ｃを基板３１Ｃに対して抜止めする。
【００２５】
Ｄ．第４実施例
図８は第４実施例にかかるハブ装置２０Ｄを説明する説明図であり、ハブ本体２２Ｄを取付機構３０Ｄに取り付ける前の状態を示す。本実施例は、支持機構４０Ｄを、取付機構３０Ｄとハブ本体２２Ｄとの間の磁力により支持する構成に特徴を有する。すなわち、取付機構３０Ｄの基板３１Ｄの一方の面には、接着層３５Ｄを介してディスプレイ本体１２の裏面１４に装着され、他方の面には支持部４２Ｄを構成する磁石４３Ｄが埋設されている。一方、ハブ本体２２Ｄの被支持部４５Ｄは、凹所４６Ｄの底に埋設された強磁性板４７Ｄを備えている。ハブ装置２０Ｄの構成により、ハブ本体２２Ｄを基板３１Ｄに固定するには、基板３１Ｄを凹所４６Ｄに位置決めし、さらにハブ本体２２Ｄを押し込む。これにより、強磁性板４７Ｄが磁石４３Ｄに吸着することにより、ハブ本体２２Ｄを基板３１Ｄに対して装着することができる。この構成によれば、ディスプレイ本体１２の裏面にＶＥＳＡ規格の取付穴がない場合にも簡単にハブ装置２０Ｄを取り付けることができる。
【００２６】
Ｅ．第５実施例
図９は第５実施例にかかるハブ装置２０Ｅを説明する説明図である。本実施例は、ハブ装置２０Ｅをディスプレイ１０に固定するための構成に特徴を有する。図９において、ディスプレイ本体１２Ｄと一体のタブレット型のコンピュータの側面には、セキュリティ装置（図示省略）を固定するための汎用の固定部１８Ｅが設けられている。固定部１８Ｅは、ケンジントンロック（Kensington Lock）と称される取付穴１８Ｅａであり、パソコン盗難防止用の鍵とワイヤーがセットになったセキュリティ装置（図示省略）を固定するために利用される。ハブ装置２０Ｅの取付機構３０Ｅには、取付穴１８Ｅａに固定するためのフック３６Ｅａを備えたロック機構３６Ｅが基板３１Ｅ上に設けられている。このハブ装置２０Ｅの構成において、フック３６Ｅａを取付穴１８Ｅａに挿入し、ハブ装置２０Ｅを所定角度回転することによりロック機構３６Ｅがロックされることにより、ハブ装置２０Ｅがディスプレイ１０の側面の取付穴１８Ｅａに固定される。
【００２７】
なお、この発明は上記実施例に限られるものではなく、その要旨を逸脱しない範囲において種々の態様において実施することが可能であり、例えば次のような変形も可能である。上記実施例において、固定部および支持機構の種々の構成は、作用および効果を損なわない限り、適宜組み合わせることができる。
また、上記実施例では、固定部がディスプレイの裏面または側面に設けたが、ハブ装置はディスプレイの裏面または側面からディスプレイの前面側にポートを配置してもよく、これによりＵＳＢプラグの着脱作業を容易にすることができる。
さらに、上記実施例にかける固定部は、ディスプレイの裏面のＶＥＳＡ規格に基づいた支持具を取り付けるための取付穴に基づいて記載しているが、これに限らずディスプレイを支持する支持具を取り付けるための取付穴であれば、ディスプレイサイズによる特別仕様でもよく、例えばより太い直径のＭ５、Ｍ６、Ｍ８、Ｍ１０のネジに対応する取付穴であってもよい。また、本実施例では、ＵＳＢハブを例に述べたが、ネットワークハブやＨＤＭＩ（High-Definition Multimedia Interface）ハブであってもよい。
【符号の説明】
【００２８】
１０…ディスプレイ
１２…ディスプレイ本体
１２Ｄ…ディスプレイ本体
１４…裏面
１６…支持台
１８…固定部
１８Ｅ…固定部
１８ａ…取付穴
１８Ｅａ…取付穴
２０…ハブ装置
２０Ｂ…ハブ装置
２０Ｃ…ハブ装置
２０Ｄ…ハブ装置
２０Ｅ…ハブ装置
２２…ハブ本体
２２Ｃ…ハブ本体
２２Ｄ…ハブ本体
２３…ハブケース
２４ａ…アップストリームポート
２４ｂ…ダウンストリームポート
２５…電源用コネクタ
３０…取付機構
３０Ｂ…取付機構
３０Ｃ…取付機構
３０Ｄ…取付機構
３０Ｅ…取付機構
３０ａ…ネジ穴
３１…基板
３１Ｂ…基板
３１Ｃ…基板
３１Ｄ…基板
３１Ｅ…基板
３３…ネジ
３３Ｂ…ネジ
３４Ｂ…シート部材
３５Ｄ…接着層
３６Ｅ…ロック機構
３６Ｅａ…フック
４０…支持機構
４０Ｃ…支持機構
４０Ｄ…支持機構
４２…支持部
４２Ｃ…支持部
４２Ｄ…支持部
４２ａ…ガイド部
４３Ｃ…係合爪
４３Ｄ…磁石
４５…被支持部
４５Ｃ…被支持部
４５Ｄ…被支持部
４５ａ…支持片
４５ｂ…挿入スペース
４６Ｃ…凹所
４６Ｄ…凹所
４７Ｃ…係合穴
４７Ｄ…強磁性板
Ｐａ，Ｐｂ…ＵＳＢプラグ
ＰＧ…電源プラグ
【図１】
0003167149.tif 000003
【図２】
0003167149.tif 000004
【図３】
0003167149.tif 000005
【図４】
0003167149.tif 000006
【図５】
0003167149.tif 000007
【図６】
0003167149.tif 000008
【図７】
0003167149.tif 000009
【図８】
0003167149.tif 000010
【図９】
0003167149.tif 000011